(57)【要約】  本発明は、本体と、前記本体の一側に設置され、内部に設定された量の輸液を収容させ、設定された圧力を有する収容体と、前記本体を貫通させ、設定された長さに延長し、前記収容体と連結し、前記輸液を移動させるための通路を提供する輸液チューブと、前記本体の他側に設置され、前記輸液チューブと連結し、設定された長さに延長し、中空が形成された保護カバーと、前記保護カバーに具備され、前記輸液チューブを通じて移動する輸液を外部に排出させるための注入孔が形成された注射用針と、前記本体に設置され、前記輸液チューブの通路を開閉しながら前記輸液の移動量を調節する流量調節部材とを含み、前記注射用針は、前記保護カバーの中空内に引き込まれた状態で具備され、前記輸液チューブの通路を開放する時、前記収容体内の圧力変化によって前記保護カバーの外部に一部分が突出すことを特徴とし、より便利で経済的、かつ安全な使用を達成することができる。
2019520857.tif 000002
【特許請求の範囲】
【請求項１】
本体と、
前記本体の一側に設置され、内部に設定された量の輸液を収容させ、設定された圧力を有する収容体と、
前記本体を貫通させ、設定された長さに延長し、前記収容体と連結し、前記輸液を移動させるための通路を提供する輸液チューブと、
前記本体の他側に設置され、前記輸液チューブと連結し、設定された長さに延長し、中空が形成された保護カバーと、
前記保護カバーに具備され、前記輸液チューブを通じて移動する輸液を外部に排出させるための注入孔が形成された注射用針と、
前記本体に設置され、前記輸液チューブの通路を開閉しながら前記輸液の移動量を調節する流量調節部材とを含み、
前記注射用針は、
前記保護カバーの中空内に引き込まれた状態で具備され、前記輸液チューブの通路を開放する時、前記収容体内の圧力変化によって前記保護カバーの外部に一部分が突出すことを特徴とする安全性を向上させた半自動注射器。
【請求項２】
前記収容体は、
前記輸液を収容して膨張した状態で内部圧力が設定され、前記輸液チューブの通路を開放する時、復元力によって収縮して内部圧力が変化し、前記収容された輸液を前記輸液チューブに排出させる復元部材であることを特徴とする請求項１に記載の安全性を向上させた半自動注射器。
【請求項３】
前記流量調節部材は、
前記本体に長さ方向に沿って形成されたガイド溝と、
前記ガイド溝に長さ方向に沿って形成された支持部と、
前記支持部から内側方向に傾斜面を有しながら突き出して前記輸液チューブと対面する係止部と、
前記係止部の傾斜面に中心軸が係るように前記ガイド溝に結合し、外力によって前記ガイド溝と前記傾斜面に沿って移動し、前記輸液チューブに密着または離隔して前記輸液チューブに対する加圧程度を調節する加圧ローラとを含むことを特徴とする請求項１に記載の安全性を向上させた半自動注射器。
【請求項４】
前記流量調節部材は、
前記輸液チューブの一部分に通路が拡張して突出形成された拡張部と、
前記拡張部と対面する部分に長さ方向に沿って形成され、弾性のシーリング処理を通じて水圧密封する水密ガイド溝と、
前記拡張部内に設置され、一側に傾斜面を有する加圧クランプと、
前記加圧クランプと連結し、前記水密ガイド溝を通じて前記輸液チューブの外部に把持可能に露出し、外力によって前記水密ガイド溝に沿ってスライド移動しながら前記加圧クランプを対応移動させるガイダーと、
前記拡張部内に設置され、前記ガイダーの移動によって前記加圧クランプの傾斜面に密着または離隔して前記輸液チューブの通路を開閉する加圧玉とを含むことを特徴とする請求項１に記載の安全性を向上させた半自動注射器。
【請求項５】
前記保護カバーは、
前記本体と分離可能に結合することを特徴とする請求項１に記載の安全性を向上させた半自動注射器。
【発明の詳細な説明】
【技術分野】
【０００１】
本発明は、ゴムの収縮作用により輸液の自動注入を可能とし、注射針をカバー内に引き込ませて、使用時のみに圧力によってポップアップ方式で突き出すようにした構成を通じて、より便利でかつ安全な使用を達成することができる安全性を向上させた半自動注射器に関する。
【背景技術】
【０００２】
一般的に、成長ホルモンの注入者や糖尿病、または勃起障害を持った患者は、必要な場合、医者の処方せんに従って、家で自分で治療目的の輸液を注射することがある。
ここで、輸液を身体に注入するために多様な使い捨ての注射器が使用されるが、通常使用される従来の使い捨て注射器は、針を肌に挿してピストンロッドを加圧しながら、シリンダ内の輸液が針を通じて身体内に注入されるように構成される。
【０００３】
しかし、上記のように構成される従来の使い捨て注射器は、使用者が直接ピストンロッドを手動で加圧しなければならないので、力がかかり煩雑であるという問題点があり、流量を容易に調節可能な手段がなく、非効率的で、使用上で不便なことがあった。
【０００４】
また、針が露出されている状態で構成される場合、非常に危険であり、衛生的な面でも汚染する恐れがあるので、非常に非衛生的で、かつ針を保護するためのカバーを構成しても、覆ったり分離する過程が多少煩雑であるという短所がある。
【０００５】
一方、このような注射器は、家畜またはペットに使用されることもあるが、特に、牛のような比較的大きな体格の動物に注射器を使用する場合、使用者によって針が徐々に動物の皮膚に挿入されながら、動物に恐怖感が与えられ、これにより、動物が暴れるなど、使用者が困難な状況に陥ることもある。
【先行技術文献】
【特許文献】
【０００６】
【特許文献１】大韓民国登録特許公報第１０−０３６５１６３号（発明の名称：注射液自動注入器）
【発明の概要】
【発明が解決しようとする課題】
【０００７】
本発明は、上記のような従来技術の問題点を改善するために創出されたもので、ゴムの収縮作用により輸液の自動注入を可能とし、注射針をカバー内に引き込ませて、使用時のみに圧力によってポップアップ方式で突き出すようにした構成を通じて、より便利で経済的、かつ安全な使用を達成することができる安全性を向上させた半自動注射器を提供することを目的とする。
【０００８】
また、輸液の移動通路を開閉する構成を付加的に設置し、開閉構成を比較的単純に設計することで、輸液の流量について自由でかつ容易な調節が可能なことはもちろん、工程の単純化及び安価な生産単価を誘導することができる安全性を向上させた半自動注射器を提供することを他の目的とする。
【０００９】
また、カバーが注射器胴体と分離可能に構成されることで、カバーの自由な交替はもちろん、注射針も共に交替可能であるため、衛生的な使用が可能な安全性を向上させた半自動注射器を提供することをさらに他の目的とする。
【課題を解決するための手段】
【００１０】
上述した目的を達成するための本発明の安全性を向上させた半自動注射器は、本体と、前記本体の一側に設置され、内部に設定された量の輸液を収容させ、設定された圧力を有する収容体と、前記本体を貫通させ、設定された長さに延長し、前記収容体と連結し、前記輸液を移動させるための通路を提供する輸液チューブと、前記本体の他側に設置され、前記輸液チューブと連結し、設定された長さに延長し、中空が形成された保護カバーと、前記保護カバーに具備され、前記輸液チューブを通じて移動する輸液を外部に排出させるための注入孔が形成された注射用針と、前記本体に設置され、前記輸液チューブの通路を開閉しながら前記輸液の移動量を調節する流量調節部材とを含むことができ、前記注射用針は、前記保護カバーの中空内に引き込まれた状態で具備され、前記輸液チューブの通路を開放する時、前記収容体内の圧力変化によって前記保護カバーの外部に一部が突出すことができる。
【００１１】
また、前記収容体は、前記輸液を収容して膨張した状態で内部圧力が設定され、前記輸液チューブの通路を開放する時、復元力によって収縮して内部圧力が変化し、前記収容された輸液を前記輸液チューブに排出させる復元部材であることができる。
【００１２】
また、前記流量調節部材は、前記本体に長さ方向に沿って形成されたガイド溝と、前記ガイド溝に長さ方向に沿って形成された支持部と、前記支持部から内側方向に傾斜面を有しながら突き出して前記輸液チューブと対面する係止部と、前記係止部の傾斜面に中心軸が係るように前記ガイド溝に結合し、外力によって前記ガイド溝と前記傾斜面に沿って移動し、前記輸液チューブに密着または離隔して前記輸液チューブに対する加圧程度を調節する加圧ローラとを含むことができる。
【００１３】
また、前記流量調節部材は、前記輸液チューブの一部分に通路が拡張して突出形成された拡張部と、前記拡張部と対面する部分に長さ方向に沿って形成され、弾性のシーリング処理を通じて水圧密封する水密ガイド溝と、前記拡張部内に設置され、一側に傾斜面を有する加圧クランプと、前記加圧クランプと連結し、前記水密ガイド溝を通じて前記輸液チューブの外部に把持可能に露出し、外力によって前記水密ガイド溝に沿ってスライド移動しながら前記加圧クランプを対応移動させるガイダーと、前記拡張部内に設置され、前記ガイダーの移動によって前記加圧クランプの傾斜面に密着または離隔して前記輸液チューブの通路を開閉する加圧玉とを含むことができる。
【００１４】
また、前記保護カバーは、前記本体と分離可能に結合することができる。
【発明の効果】
【００１５】
本発明の安全性を向上させた半自動注射器は、ゴムで製作された収容体の収縮作用により輸液の自動注入を可能とし、注射用針を保護カバー内に引き込ませて、使用時のみに収容体内の圧力変化によってポップアップ方式で突き出すようにした構成を通じて、より便利で経済的、かつ安全な使用を達成することができる効果がある。
【００１６】
また、輸液移動通路を開閉する流量調節部材を付加的に設置し、流量調節部材の構成を比較的単純なチューブ加圧構造または通路密閉構造で設計することで、輸液の流量について自由でかつ容易な調節が可能なことはもちろん、工程の単純化及び安価な生産単価を誘導することができる効果がある。
【００１７】
また、保護カバーが本体と分離可能に構成されることで、保護カバーの自由な交替はもちろん、注射用針も共に交替可能であるため、衛生的な使用が可能な効果がある。
【図面の簡単な説明】
【００１８】
【図１】本発明の実施例による安全性を向上させた半自動注射器の斜視図である。
【図２】前記半自動注射器の分解斜視図である。
【図３】前記半自動注射器の使用様子を示した使用例示図である。
【図４】前記半自動注射器の流量調節部材を示した側断面図である。
【図５】本発明の他の実施例による流量調節部材を示した側断面図である。
【発明を実施するための形態】
【００１９】
後述する本発明に対する詳細な説明は、本発明が実施される特定の実施例を例示として図示する添付の図面を参照する。これらの実施例は、当業者が本発明を実施できるように十分に詳しく説明する。本発明の多様な実施例は相互異なるが、相互排他的である必要はないことが理解されるべきである。例えば、ここに記載されている特定の形状、構造及び特性は、一実施例と関連して本発明の技術的思想及び範囲を逸脱せず、他の実施例で実現されることができる。また、それぞれの開示された実施例内の個別構成要素の位置または配置は、本発明の技術的思想及び範囲を逸脱せず、変更可能なことが理解されるべきである。従って、後述する詳細な説明は、限定的な意味として取ろうとするものではなく、本発明の範囲は、その請求項が主張することと均等な全ての範囲と共に添付の請求項によってのみ限定される。図面で類似した参照符号は、様々な側面にわたって同一であるか類似した機能を指す。
【００２０】
以下で、本発明が属する技術分野で通常の知識を持った者が本発明を容易に実施できるようにするために、本発明の好ましい実施例について添付の図面を参照して詳しく説明する。
【００２１】
図１は、本発明の実施例による安全性を向上させた半自動注射器の斜視図であり、図２は、前記半自動注射器の分解斜視図であり、図３は、前記半自動注射器の使用様子を示した使用例示図であり、図４は、前記半自動注射器の流量調節部材を示した側断面図であり、  図５は、本発明の他の実施例による流量調節部材を示した側断面図である。
【００２２】
図１〜図５に示すように、本発明による安全性を向上させた半自動注射器１００は、本体１１０、収容体１２０、輸液チューブ１３０、保護カバー１４０、注射用針１５０、及び流量調節部材１６０、１６０’を含んで構成することができる。
【００２３】
前記本体１１０は、後述する全ての部品を固定し、形態を維持可能に支持する骨格であり、内部に中空が形成されたハウジング形態で製作されることが好ましいが、複数のフレームからなることもでき、これに限定されない。
【００２４】
このような前記本体１１０は、加工が容易なＰＶＣ（Ｐｏｌｙｖｉｎｙｌ  ｃｈｌｏｒｉｄｅ）素材からなることができるが、これに限定されず、本発明の技術的範囲内で様々な公知のプラスチック素材が適用されることができる。
【００２５】
前記収容体１２０は、様々な種類の治療用輸液Ｃを設定された量だけ収容して保管及び貯蔵し、後述する輸液チューブ１３０側に前記輸液Ｃを供給するためのもので、前記本体１１０の一側に設置され、前記輸液チューブ１３０と結合することができ、本発明によると、内部に設定された量の輸液Ｃを収容させ、設定された圧力を有するように製作することができる。
【００２６】
さらに具体的に、前記収容体１２０は、製造工程時に、前記輸液Ｃを収容して膨張した状態で内部圧力が設定され、前記輸液チューブ１３０の通路を開放する時、自体復元力によって収縮して内部圧力が変化しながら前記収容された輸液Ｃを前記輸液チューブ１３０に排出させる復元部材であることが好ましい。
【００２７】
ここで、前記収容体１２０は、弾性のゴム素材で製作され、製作厚さによって内部圧力が設定されることができ、これは、本発明の技術的範囲内で当該関連分野の通常の知識を持った当業者が前記輸液Ｃの治療目的、種類などによって注入速度を考慮して、多様に変更設計及び製作することができる。
【００２８】
このような前記収容体１２０は、輸液Ｃを収容しない時は、薄いゴムフィルム形態で、前記輸液Ｃを収容する時は、ゴムボール（ｂａｌｌ）形態でなることができる。
【００２９】
前記輸液チューブ１３０は、輸液Ｃを移動させるための通路を提供するもので、本発明によると、前記本体１１０を貫通させながら設定された長さに延長し、前記収容体１２０と連結することが好ましい。
【００３０】
このような前記輸液チューブ１３０は、中空を形成した管（ｐｉｐｅ）の形態で製作されることができ、その素材は、シリコンが取り扱われることが好ましいが、これは、一般的な公知の技術であるので、当業者によって多様に変更設計可能なことは言うまでもない。
【００３１】
前記保護カバー１４０は、後述する注射用針１５０をカバーして安全性を図るためのもので、前記本体１１０の他側に設置され、前記輸液チューブ１３０と連結することができ、設定された長さに延長し、前記注射用針１５０を収容させるための中空が形成されることができる。
【００３２】
また、本発明による前記保護カバー１４０は、本体１１０と分離可能に結合するが、そのため、前記本体１１０と保護カバー１４０には、相互の結合部分に第１ねじ山１１１と、これに対応する第２ねじ山１４１とが形成されることができる。
【００３３】
従って、前記保護カバー１４０は、本体１１０から容易な分離及び結合が可能となり、これにより、自体的な交替はもちろん、前記保護カバー１４０の中空内に具備される前記注射用針１５０も共に交替可能となるため、より衛生的な使用を達成することができる。
【００３４】
前記注射用針１５０は、輸液チューブ１３０を通じて移動する輸液Ｃを外部（注入対象）に排出及び注入させるための針であって、前記保護カバー１４０の中空内に具備されることができ、前記収容体１２０から輸液チューブ１３０を通じて前記保護カバー１４０に満たされる前記輸液Ｃを排出させるために、中央に設定された大きさの注入孔１５１が長さ方向に沿って貫通形成されることができる。
【００３５】
また、前記注射用針１５０は、本発明によると、前記保護カバー１４０の中空内に引き込まれた状態で具備されることができ、後述する流量調節部材１６０、１６０’の調節により前記輸液チューブ１３０の通路を開放する時、前記収容体１２０内の圧力変化によって前記保護カバー１４０の外部に一部分が自動的に突出すことができる。
【００３６】
上記のような構成により、前記収容体１２０内に設定された圧力が強いほどポップアップ（ｐｏｐ−ｕｐ）方式で瞬間的な突出が可能となり、これは、迅速でかつ瞬間的な注入が必要な場合に、適切に活用することができる。
【００３７】
ここで、前記注射用針１５０は保護カバー１４０内に完全に引き込まれるために、前記注射用針１５０は保護カバー１４０の長さよりも相対的に短く形成されることが好ましい。
【００３８】
また、前記注射用針１５０が保護カバー１４０の外部に一部分が突出した状態で固定されるために、前記保護カバー１４０には、第２ねじ山１４１が形成された反対側の末端に円心方向に延長する固定部１４２が具備されることができ、前記注射用針１５０には、固定部１４２に一側端が係るように突出されたフランジ１５２が具備されることができる。
【００３９】
前記流量調節部材１６０、１６０’は、輸液チューブ１３０の通路を開閉しながら前記輸液Ｃの移動量を調節する構成で、前記本体１１０に設置されることができ、本発明によると、第１実施例によるチューブ加圧構造方式１６０と、第２実施例による通路密閉構造方式１６０’とに区分して構成されることができる。
【００４０】
先ず、前記第１実施例によるチューブ加圧構造方式の流量調節部材１６０は、ガイド溝１６１、支持部１６２、係止部１６３及び加圧ローラ１６４を含んで構成されることができる。
【００４１】
前記ガイド溝１６１は、本体１１０の長さ方向に沿って形成された溝であり、後述する加圧ローラ１６４の移動経路を提供する機能を行う。
【００４２】
ここで、前記ガイド溝１６１は、本体１１０がフレーム構造からなる場合、前記加圧ローラ１６４の移動経路の提供が前記本体１１０自体で満たすことができるので、その構成が省略されてもよい。
【００４３】
前記支持部１６２は、ガイド溝１６１または本体１１０に長さ方向に沿って形成される骨組みであり、後述する係止部１６３を支持させる機能を行う。
【００４４】
前記係止部１６３は、加圧ローラ１６４の内側方向、つまり、前記輸液チューブ１３０が位置した方向に対する移動経路を提供するもので、前記支持部１６２から内側方向に傾斜面を有しながら突き出して、前記輸液チューブ１３０と対面するように構成することができる。
【００４５】
前記加圧ローラ１６４は、輸液チューブ１３０に対する直接的な加圧を行うローラで、前記係止部１６３の傾斜面に中心軸が係るように前記ガイド溝１６１に結合することが好ましく、外力によって前記ガイド溝１６１と傾斜面に沿って移動しながら、前記輸液チューブ１３０に密着または離隔して前記輸液チューブ１３０に対する加圧程度を調節する。
【００４６】
即ち、上記のように構成されるチューブ加圧構造方式の流量調節部材１６０は、前記輸液チューブ１３０自体を加圧して外形を変化させながら通路を密閉または開放し、これにより、前記輸液Ｃの流量が調節されるようにした構造である。
【００４７】
一方、前記第２実施例による通路密閉構造方式の流量調節部材１６０’は、拡張部１６５、水密ガイド溝１６６、加圧クランプ１６７、ガイダー１６８及び加圧玉１６９を含んで構成されることができる。
【００４８】
前記拡張部１６５は、後述する加圧クランプ１６７及び加圧玉１６９の設置空間を確保するためのもので、前記輸液チューブ１３０の一部分に通路が拡張して突出形成されることができる。
【００４９】
前記水密ガイド溝１６６は、後述するガイダー１６８の移動経路を提供する溝で、前記拡張部１６５と対面する部分に長さ方向に沿って形成されることができ、さらに好ましくは、前記輸液チューブ１３０の外部に対する前記輸液Ｃの漏水を防止するために、多様な公知の弾性材質でシーリング処理して水圧密封することができ、このような水圧密封に関する構成は、本発明の実施例に限定されず、当業者によって多様に変更設計可能なことは言うまでもない。
【００５０】
前記加圧クランプ１６７は、後述する加圧玉１６９と相互接触すると同時に前記輸液チューブ１３０の通路を密閉するためのもので、前記拡張部１６５内に設置され、一側に傾斜面を有するように構成されることができる。
【００５１】
前記ガイダー１６８は、使用者が外力を加えることができるように前記輸液チューブ１３０の外部に把持可能に露出される取っ手であって、前記加圧クランプ１６７と連結し、前記水密ガイド溝１６６を通じて前記輸液チューブ１３０の外部に露出することができ、外力によって前記水密ガイド溝１６６に沿ってスライド移動しながら前記加圧クランプ１６７を対応移動させる。
【００５２】
前記加圧玉１６９は、前述した加圧クランプ１６７と共に前記輸液チューブ１３０の通路を密閉または開放するための玉で、前記拡張部１６５内に設置され、前記ガイダー１６８の移動によって前記加圧クランプ１６７の傾斜面に密着または離隔しながら前記輸液チューブ１３０の通路を開閉する機能を行う。
【００５３】
即ち、上記のように構成される通路密閉構造方式の流量調節部材１６０’は、前記輸液チューブ１３０内の中空通路を直接密閉または開放し、これにより、前記輸液Ｃの流量を調節可能にする構造である。
【００５４】
従って、本発明による安全性を向上させた半自動注射器１００は、ゴムで製作された収容体１２０の収縮作用により輸液Ｃの自動注入を可能とし、注射用針１５０を保護カバー１４０内に引き込ませて、使用時のみに収容体１２０内の圧力変化によってポップアップ方式で突出すようにした構成を通じて、より便利で経済的、かつ安全な使用を達成することができる。
【００５５】
また、輸液Ｃの移動通路を開閉する流量調節部材１６０、１６０’を付加的に設置し、流量調節部材１６０、１６０’の構成を比較的単純なチューブ加圧構造１６０または通路密閉構造１６０’で設計することで、輸液Ｃの流量について自由でかつ容易な調節が可能なことはもちろん、工程の単純化及び安価な生産単価を誘導することができる長所がある。
【００５６】
さらに、保護カバー１４０が本体１１０と分離可能に構成されることで、保護カバー１４０の自由な交替はもちろん、注射用針１５０も共に交替可能であるため、衛生的な使用が可能な効果がある。
【００５７】
以上では、本発明を好ましい実施例に基づいて説明したが、本発明の技術的思想は、これに限定されず、請求項に記載された範囲内で変形や変更して実施可能なことは、本発明が属する技術分野で通常の知識を持った者に明らかなものであり、そのような変形や変更は、添付の特許請求の範囲に属するといえる。
【産業上の利用可能性】
【００５８】
本発明によると、ゴムで製作された収容体の収縮作用により輸液の自動注入を可能とし、注射用針を保護カバー内に引き込ませて、使用時のみに収容体内の圧力変化によってポップアップ方式で突出すようにした構成を通じて、より便利で経済的、かつ安全な使用を達成することができる効果がある。
【符号の説明】
【００５９】
Ｃ：輸液
１００：半自動注射器
１１０：本体
１１１：第１ねじ山
１２０：収容体
１３０：輸液チューブ
１４０：保護カバー
１４１：第２ねじ山
１４２：固定部
１５０：注射用針
１５１：注入孔
１５２：フランジ
１６０、１６０’：流量調節部材
１６１：ガイド溝
１６２：支持部
１６３：係止部
１６４：加圧ローラ
１６５：拡張部
１６６：水密ガイド溝
１６７：加圧クランプ
１６８：ガイダー
１６９：加圧玉
【図１】
2019520857.tif 000003
【図２】
2019520857.tif 000004
【図３】
2019520857.tif 000005
【図４（ａ）】
2019520857.tif 000006
【図４（ｂ）】
2019520857.tif 000007
【図５（ａ）】
2019520857.tif 000008
【図５（ｂ）】
2019520857.tif 000009
【国際調査報告】
2019520857.tif 000010
2019520857.tif 000011
2019520857.tif 000012
2019520857.tif 000013
2019520857.tif 000014
2019520857.tif 000015
2019520857.tif 000016
2019520857.tif 000017
2019520857.tif 000018
2019520857.tif 000019
2019520857.tif 000020
2019520857.tif 000021
2019520857.tif 000022
2019520857.tif 000023